(57)【要約】移動通信装置に接続される接続デバイスの接続情報基づいてネットワークパラメータを変更することができる移動通信システムを提供することを目的とする。本発明にかかる移動通信システムは、接続デバイス（２１）〜（２３）と接続する移動通信装置（１０）と、移動通信事業者によって管理される移動通信ネットワーク（４０）に配置されるネットワークオペレータ装置（３０）と、を備える。移動通信装置（１０）は、接続デバイス（２１）〜（２３）の接続情報を検出し、ネットワークオペレータ装置（３０）は、移動通信装置（１０）が検出した接続デバイス（２１）〜（２３）の接続情報に応じて定まるネットワークアシスト情報に基づいて移動通信装置（１０）に関連づけられたネットワークパラメータもしくはネットワーク処理を変更するものである。
2014188655.tif 000002
【特許請求の範囲】
【請求項１】
複数の接続デバイスと接続する移動通信装置と、
移動通信事業者によって管理される移動通信ネットワークに配置されるネットワークオペレータ装置と、を備え、
前記移動通信装置は、
前記接続デバイスの接続情報を検出し、
前記ネットワークオペレータ装置は、
前記移動通信装置が検出した前記接続デバイスの接続情報に応じて定まるネットワークアシスト情報に基づいて前記移動通信装置に関連づけられたネットワークパラメータもしくはネットワーク処理を変更する、移動通信システム。
【請求項２】
前記接続情報は、
前記移動通信装置に接続されている前記接続デバイスの数に関する情報、前記移動通信装置に接続されている前記接続デバイスの種別に関する情報、アクティブ状態の前記接続デバイスの数に関する情報、接続デバイスとの間の品質に関する情報及び接続デバイスの状態に関する情報のうち少なくとも一つを含む、請求項１に記載の移動通信システム。
【請求項３】
前記ネットワークオペレータ装置は、
前記ネットワークアシスト情報に基づいて、前記移動通信装置における通信間隔、前記移動通信装置において必要となる通信帯域及び移動通信装置の位置登録エリアの少なくとも一つのネットワークパラメータを変更する、請求項１又は２に記載の移動通信システム。
【請求項４】
ネットワークアシスト情報は、
前記移動通信装置に関連づけられたネットワークパラメータを調整するために、前記接続情報に基づいて生成される情報である、請求項１乃至３のいずれか１項に記載の移動通信システム。
【請求項５】
前記移動通信装置は、
検出した前記接続情報に応じて前記ネットワークアシスト情報を生成し、生成した前記ネットワークアシスト情報を前記ネットワークオペレータ装置へ送信する、請求項１乃至４のいずれか１項に記載の移動通信システム。
【請求項６】
前記移動通信ネットワークを介して通信を行う前記移動通信装置から取得した情報を用いてアプリケーションサービスを提供するサービスプラットフォームをさらに備え、
前記移動通信装置は、
検出した前記接続情報に応じて前記ネットワークアシスト情報を生成し、生成した前記ネットワークアシスト情報を前記サービスプラットフォームへ送信し、
前記サービスプラットフォームは、
前記移動通信装置から送信された前記ネットワークアシスト情報を前記ネットワークオペレータ装置へ送信する、請求項１乃至４のいずれか１項に記載の移動通信システム。
【請求項７】
前記移動通信装置は、
前記接続デバイスが前記移動通信装置に接続もしくは前記移動通信装置から離脱した時、前記接続デバイスが前記移動通信装置を介した通信を開始時もしくは終了した時、電源を投入した時、前記ネットワークオペレータ装置へ接続した時又は予め定められた時に、前記ネットワークアシスト情報を送信する、請求項５又は６に記載の移動通信システム。
【請求項８】
前記移動通信装置は、
検出した前記接続情報を前記ネットワークオペレータ装置へ送信し、
前記ネットワークオペレータ装置は、
前記接続情報に応じて前記ネットワークアシスト情報を生成する、請求項１乃至４のいずれか１項に記載の移動通信システム。
【請求項９】
前記移動通信ネットワークを介して通信を行う前記移動通信装置から取得した情報を用いてアプリケーションサービスを提供するサービスプラットフォームをさらに備え、
前記移動通信装置は、
検出した前記接続情報を前記サービスプラットフォームへ送信し、
前記サービスプラットフォームは、
前記移動通信装置から送信された前記接続情報を前記ネットワークオペレータ装置へ送信し、
前記ネットワークオペレータ装置は、
前記サービスプラットフォームから送信された前記接続情報に応じて前記ネットワークアシスト情報を生成する、請求項１乃至４のいずれか１項に記載の移動通信システム。
【請求項１０】
前記移動通信ネットワークを介して通信を行う前記移動通信装置から取得した情報を用いてアプリケーションサービスを提供するサービスプラットフォームをさらに備え、
前記移動通信装置は、
検出した前記接続情報を前記サービスプラットフォームへ送信し、
前記サービスプラットフォームは、
前記移動通信装置から送信された前記接続情報に応じて前記ネットワークアシスト情報を生成し、生成した前記ネットワークアシスト情報を前記ネットワークオペレータ装置へ送信する、請求項１乃至４のいずれか１項に記載の移動通信システム。
【請求項１１】
前記移動通信装置は、
前記接続デバイスが前記移動通信装置に接続もしくは前記移動通信装置から離脱した時、前記接続デバイスが前記移動通信装置を介した通信を開始時もしくは終了した時、電源を投入した時、前記ネットワークオペレータ装置へ接続した時又は予め定められた時に、前記接続情報を送信する、請求項８乃至１０のいずれか１項に記載の移動通信システム。
【請求項１２】
前記接続情報として、移動することが予測される接続デバイスの種別が検出された場合、前記ネットワークアシスト情報は、前記移動通信装置が移動することを示す情報もしくは前記移動通信装置の位置登録エリアを変更することを示す内容が設定される、請求項１乃至１１のいずれか１項に記載の移動通信システム。
【請求項１３】
接続している複数の接続デバイスに関する接続情報を検出する接続情報抽出手段と、
前記接続情報に応じて自装置に関連づけられたネットワークパラメータもしくはネットワーク処理を変更するために用いられるネットワークアシスト情報を生成し、生成したネットワークアシスト情報を移動通信事業者によって管理される移動通信ネットワークに配置されるネットワークオペレータ装置へ送信するネットワークアシスト情報生成手段と、を備える移動通信装置。
【請求項１４】
前記接続情報は、
前記移動通信装置に接続されている前記接続デバイスの数に関する情報、前記移動通信装置に接続されている前記接続デバイスの種別に関する情報、アクティブ状態の前記接続デバイスの数に関する情報、接続デバイスとの間の品質に関する情報及び接続デバイスの状態に関する情報のうち少なくとも一つを含む、請求項１３に記載の移動通信装置。
【請求項１５】
ネットワークアシスト情報は、
前記移動通信装置に関連づけられたネットワークパラメータを調整するために、前記接続情報に基づいて生成される情報である、請求項１３又は１４のいずれか１項に記載の移動通信装置。
【請求項１６】
前記ネットワークアシスト情報生成手段は、
前記接続デバイスが自装置に接続もしくは自装置から離脱した時、前記接続デバイスが自装置を介した通信を開始時もしくは終了した時、電源を投入した時、前記ネットワークオペレータ装置へ接続した時又は予め定められた時に、前記ネットワークアシスト情報を送信する、請求項１３乃至１５のいずれか１項に記載の移動通信装置。
【請求項１７】
接続している複数の接続デバイスに関する接続情報を検出し、前記接続情報に応じて自装置に関連づけられたネットワークパラメータもしくはネットワーク処理を変更するために用いられるネットワークアシスト情報を生成させるために、移動通信ネットワークに配置されるネットワークオペレータ装置へ前記接続情報を送信する接続情報抽出手段を備える移動通信装置。
【請求項１８】
接続している複数の接続デバイスに関する接続情報を検出し、前記接続情報に応じて自装置に関連づけられたネットワークパラメータもしくはネットワーク処理を変更するために用いられるネットワークアシスト情報を生成させるために、アプリケーションサーバと接続するサービスプラットフォームへ前記接続情報を送信する接続情報抽出手段を備える移動通信装置。
【請求項１９】
前記接続情報抽出手段は、
前記接続デバイスが自装置に接続もしくは自装置から離脱した時、前記接続デバイスが自装置を介した通信を開始時もしくは終了した時、電源を投入した時、ネットワークオペレータ装置へ接続した時又は予め定められた時に、前記接続情報を送信する、請求項１７又は１８に記載の移動通信装置。
【請求項２０】
接続している複数の接続デバイスに関する接続情報を検出し、
前記接続情報に応じて自装置に関連づけられたネットワークパラメータもしくはネットワーク処理を変更するために用いられるネットワークアシスト情報を生成し、
生成したネットワークアシスト情報を移動通信事業者によって管理される移動通信ネットワークに配置されるネットワークオペレータ装置へ送信する、ネットワークアシスト情報送信方法。
【請求項２１】
接続している複数の接続デバイスに関する接続情報を検出し、
前記接続情報に応じて自装置に関連づけられたネットワークパラメータもしくはネットワーク処理を変更するために用いられるネットワークアシスト情報を生成させるために、移動通信ネットワークに配置されるネットワークオペレータ装置へ前記接続情報を送信する、接続情報送信方法。
【請求項２２】
接続している複数の接続デバイスに関する接続情報を検出し、
前記接続情報に応じて自装置に関連づけられたネットワークパラメータもしくはネットワーク処理を変更するために用いられるネットワークアシスト情報を生成させるために、アプリケーションサーバと接続するサービスプラットフォームへ前記接続情報を送信する、接続情報送信方法。
【請求項２３】
接続している複数の接続デバイスに関する接続情報を検出するステップと、
前記接続情報に応じて自装置に関連づけられたネットワークパラメータもしくはネットワーク処理を変更するために用いられるネットワークアシスト情報を生成するステップと、
生成したネットワークアシスト情報を移動通信事業者によって管理される移動通信ネットワークに配置されるネットワークオペレータ装置へ送信するステップと、をコンピュータに実行させるプログラムが格納された非一時的なコンピュータ可読媒体。
【請求項２４】
接続している複数の接続デバイスに関する接続情報を検出するステップと、
前記接続情報に応じて自装置に関連づけられたネットワークパラメータもしくはネットワーク処理を変更するために用いられるネットワークアシスト情報を生成させるために、移動通信ネットワークに配置されるネットワークオペレータ装置へ前記接続情報を送信するステップと、をコンピュータに実行させるプログラムが格納された非一時的なコンピュータ可読媒体。
【請求項２５】
接続している複数の接続デバイスに関する接続情報を検出するステップと、
前記接続情報に応じて自装置に関連づけられたネットワークパラメータもしくはネットワーク処理を変更するために用いられるネットワークアシスト情報を生成させるために、アプリケーションサーバと接続するサービスプラットフォームへ前記接続情報を送信するステップと、をコンピュータに実行させるプログラムが格納された非一時的なコンピュータ可読媒体。
【発明の詳細な説明】
【技術分野】
【０００１】
本発明は移動通信装置に接続される接続装置に関する接続情報に応じて定まるネットワークアシスト情報を用いてネットワークパラメータを制御する移動通信システムに関する。
【背景技術】
【０００２】
近年、移動通信システムを構成するそれぞれの処理ノードの設定を最適化するための方法が求められている。３ＧＰＰ（3rd Generation Partnership Project）においては、移動通信端末の利用特性に応じてネットワーク処理を最適化する方法の提案が行われている（非特許文献１）。例えば、特定の場所に固定して設置される端末に関しては、移動に関する制御処理を軽減するようにネットワーク処理を実行してもよい。具体的には、端末が位置登録を実行する間隔を、所定の時間よりも長く設定してもよい。さらに、移動通信端末が遅延を許容する端末である場合には、通信時間を制御してデータ送受信量がピークとなるタイミングを避けるようにして、移動通信端末に対してデータの送信を行うようにネットワーク処理を実行してもよい。【０００３】
さらに、近年、移動通信システムの構成も様々な形態に変化している。例えば、複数の端末を集約するモバイルルータと、移動通信ネットワークとが通信する形態が存在する。このように、直接ユーザから入力された情報を移動通信ネットワークに送信する携帯電話等と異なるモバイルルータに対するネットワーク処理を最適化することも求められている。
【先行技術文献】
【非特許文献】
【０００４】
【非特許文献１】3GPP TS 22.368 V11.3.0 (2011-09) 3rd Generation Partnership Project; Technical Specification Group Services and System Aspects; Service requirements for Machine-Type Communications(MTC);Stage 1 (Release 11)
【発明の概要】
【発明が解決しようとする課題】
【０００５】
しかし、上述したように、ネットワーク処理の最適化は、移動端末において予め定められた情報を用いて実行されている。例えば、特定の場所に固定して設置されている端末又は遅延を許容する端末かどうかは、あらかじめ定められている、端末のサービス情報もしくは端末情報等を用いて判定される。現在、上述したネットワーク処理の最適化に加えて、利用特性が変化する移動端末を対象としたネットワーク処理の最適化を実行することが求められている。そのために、一般的に変化する頻度が少ないサービス情報等以外の情報を用いて、ネットワーク処理の最適化を実行することが求められている。【０００６】
本発明の目的は、上述した課題を解決する移動通信システム、移動通信装置、ネットワークアシスト情報送信方法及びプログラムを提供することにある。
【課題を解決するための手段】
【０００７】
本発明の第１の態様にかかる移動通信システムは、複数の接続デバイスと接続する移動通信装置と、移動通信事業者によって管理される移動通信ネットワークに配置されるネットワークオペレータ装置と、を備え、前記移動通信装置は、前記接続デバイスの接続情報を検出し、前記ネットワークオペレータ装置は、前記移動通信装置が検出した前記接続デバイスの接続情報に応じて定まるネットワークアシスト情報に基づいて前記移動通信装置に関連づけられたネットワークパラメータもしくはネットワーク処理を変更するものである。【０００８】
本発明の第２の態様にかかる移動通信装置は、接続している複数の接続デバイスに関する接続情報を検出する接続情報抽出部と、前記接続情報に応じて自装置に関連づけられたネットワークパラメータもしくはネットワーク処理を変更するために用いられるネットワークアシスト情報を生成し、生成したネットワークアシスト情報を移動通信事業者によって管理される移動通信ネットワークに配置されるネットワークオペレータ装置へ送信するネットワークアシスト情報生成部と、を備えるものである。【０００９】
本発明の第３の態様にかかるネットワークアシスト情報送信方法は、接続している複数の接続デバイスに関する接続情報を検出し、前記接続情報に応じて自装置に関連づけられたネットワークパラメータもしくはネットワーク処理を変更するために用いられるネットワークアシスト情報を生成し、生成したネットワークアシスト情報を移動通信事業者によって管理される移動通信ネットワークに配置されるネットワークオペレータ装置へ送信するものである。【００１０】
本発明の第４の態様にかかるプログラムは、接続している複数の接続デバイスに関する接続情報を検出するステップと、前記接続情報に応じて自装置に関連づけられたネットワークパラメータもしくはネットワーク処理を変更するために用いられるネットワークアシスト情報を生成するステップと、生成したネットワークアシスト情報を移動通信事業者によって管理される移動通信ネットワークに配置されるネットワークオペレータ装置へ送信するステップと、をコンピュータに実行させるものである。
【発明の効果】
【００１１】
本発明により、移動通信装置に接続される接続デバイスの接続情報基づいてネットワークパラメータを変更することができる移動通信システム、移動通信装置、ネットワークアシスト情報送信方法及びプログラムを提供することができる。
【図面の簡単な説明】
【００１２】
【図１】実施の形態１にかかる移動通信システムの構成図である。
【図２】実施の形態２にかかる移動通信システムの構成図である。
【図３】実施の形態２にかかるモバイルルータの構成図である。
【図４】実施の形態２にかかるネットワークパラメータの変更処理の流れを示す図である。
【図５】実施の形態３にかかるモバイルルータの構成図である。
【図６】実施の形態３にかかるネットワークノード制御装置の構成図である。
【図７】実施の形態３にかかるネットワークパラメータの変更処理の流れを示す図である。
【図８】実施の形態４にかかる移動通信システムの構成図である。
【図９】実施の形態４にかかるサービスプラットフォームの構成図である。
【図１０】実施の形態４にかかるネットワークパラメータの変更処理の流れを示す図である。
【図１１】実施の形態４にかかるネットワークパラメータの変更処理の流れを示す図である。
【図１２】実施の形態５にかかる移動通信ネットワークの構成図である。
【発明を実施するための形態】
【００１３】
（実施の形態１）
以下、図面を参照して本発明の実施の形態について説明する。図１を用いて本発明の実施の形態１にかかる移動通信システムの構成例について説明する。本図の移動通信システムは、移動通信装置１０、接続デバイス２１〜２３及びネットワークオペレータ装置３０を有している。ネットワークオペレータ装置３０は、移動通信事業者によって管理される移動通信ネットワーク４０に配置されている。
【００１４】
接続デバイス２１〜２３は、例えば温度センサ等の各種センサもしくはＧＰＳ装置等であってもよい。もしくは、接続デバイス２１〜２３は、Ｍ２Ｍデバイスであってもよい。例えば、Ｍ２Ｍデバイスは、通信機器間においてユーザ操作を伴わずに自律的にデータを送信する装置である。さらに、接続デバイス２１〜２３は、カーナビゲーション、ゲーム端末もしくはスマートメータ等であってもよい。
【００１５】
移動通信装置１０は、接続デバイス２１〜２３と接続している。ここで、移動通信装置１０と接続する接続デバイスの台数は、３台に制限されず３台より多くても少なくてもよい。移動通信装置１０は、接続デバイス２１〜２３を集約し、移動通信ネットワーク４０と無線回線を介して接続する。例えば、移動通信装置１０は、移動通信ネットワーク４０を構成する無線基地局と無線回線を介して通信を行う。
【００１６】
さらに、移動通信装置１０は、接続デバイス２１〜２３と、近距離無線通信を用いて通信を行ってもよく、ケーブル等を用いて物理的に直接接続して通信を行ってもよい。近距離無線通信は、例えばBluetooth（登録商標）もしくは赤外線通信等であってもよい。もしくは、近距離無線通信は、無線通信の規格として定められているNear Field Communication（ＮＦＣ）であってもよい。もしくは、移動通信装置１０は、接続デバイス２１〜２３と、無線ＬＡＮを用いて通信を行ってもよい。
【００１７】
移動通信装置１０は、接続デバイス２１〜２３と、移動通信ネットワーク４０との間に配置されるモバイルルータであってもよい。もしくは、移動通信装置１０は、モバイルルータ機能を有する、携帯電話端末や、スマートフォン端末、ノートブック型パーソナルコンピュータ等であってもよい。
【００１８】
移動通信装置１０は、接続されている接続デバイス２１〜２３との間の接続情報を検出する。例えば、接続情報は、移動通信装置１０に接続されている接続デバイスの数に関する情報、移動通信装置１０に接続されている接続デバイスの種別に関する情報、アクティブ状態の接続デバイスの数に関する情報、接続デバイスとの間の品質に関する情報及び接続デバイスの状態に関する情報の少なくとも一つを含む情報である。
【００１９】
移動通信装置１０と接続デバイス２１〜２３とが接続している状態とは、例えば、移動通信装置１０と各接続デバイスとの間において認証処理が完了し、データを送受信することが出来る状態である。接続デバイスの種別に関する情報とは、例えば、温度センサ、ＧＰＳ、スピーカ、カーナビゲーション、ゲーム、歩数計等の端末種別を明示する識別情報である。また、接続デバイスの種別に関する情報は、ＭＡＣアドレス、製造番号もしくは接続デバイスのシリアル番号等を用いて示されてもよく、さらに、製造メーカ情報、発売年代等の情報が付加されてもよい。
【００２０】
アクティブ状態の接続デバイスとは、例えば、移動通信装置１０と接続をしている状態であって、実際に移動通信装置１０との間においてデータ通信を行っている接続デバイスである。言い換えると、非アクティブ状態の接続デバイスは、移動通信装置１０と接続している状態であって、移動通信装置１０との間においてデータ通信を行っていない接続デバイスである。例えば、アクティブ状態とは、ゲーム端末がモバイルルータ１２を介してゲームを行っている状態、情報家電がモバイルルータ１２を介してサーバと接続し、ファームウェアをアップデートしている状態もしくは接続デバイスとしてのスマートメータが、モバイルルータ１２を介して電力情報を送信している状態等であってもよい。
【００２１】
もしくは、非アクティブ状態とは、例えば、接続デバイスが、移動通信装置１０と通信を行わない状態、いわゆるスリープ状態であってもよい。スリープ状態とは、接続デバイス２１〜２３が、電力の消費を抑えるために動作させる機能を少なくしている状態、もしくは一部の機能を停止している状態である。
【００２２】
移動通信装置１０と接続デバイス２１〜２３との間の品質に関する情報とは、例えば、移動通信装置１０と接続デバイス２１〜２３との間における無線回線の品質もしくは無線回線の混雑度を示す情報である。例えば、移動通信装置１０と接続デバイス２１〜２３との間において用いられる電波と異なる他の電波の干渉の影響によって、無線回線が繋がりづらくなっている場合、移動通信装置１０は、接続情報として、無線回線の品質が低下しいているもしくは無線回線の混雑度が高くなっている等として検出してもよい。
【００２３】
また、移動通信装置１０と接続デバイス２１〜２３との間の品質に関する情報として、例えば、移動通信装置１０と接続デバイス２１〜２３との間の使用帯域値もしくは使用帯域割合（以下、使用帯域値等と称する）を抽出してもよい。例えば、移動通信装置１０は、接続デバイス毎に使用帯域値等を抽出してもよく、接続デバイス２１〜２３の合計使用帯域値等を抽出してもよい。
【００２４】
接続デバイスの状態に関する情報とは、例えば、接続デバイス２１〜２３のそれぞれの電池残量に関する情報であってもよい。
【００２５】
ネットワークオペレータ装置３０は、移動通信装置１０が検出した接続情報に応じて定まるネットワークアシスト情報に基づいて、移動通信装置１０に関連づけられたネットワークパラメータもしくはネットワーク処理を変更する。
【００２６】
ネットワークアシスト情報とは、ネットワークオペレータ装置３０が管理するネットワークパラメータを調整もしくは最適化するために用いられる情報である。ネットワークパラメータは、移動通信装置１０に関連付けられている。さらに、ネットワークパラメータは、ネットワーク内の各ノード装置が移動通信装置１０の処理を決定するための情報及びポリシーである。移動通信装置１０の処理を決定するための情報及びポリシーとは、例えば、通信リソースに関する情報、電話番号もしくはＱｏＳポリシー等であってもよい。各ノード装置とは、例えば移動通信ネットワークにおける基地局もしくはコアネットワーク装置等であってもよい。次に、ネットワークアシスト情報の詳細について説明する。
【００２７】
ネットワークアシスト情報は、例えば、移動通信装置１０が通信を行う通信間隔に関する情報もしくは移動通信装置１０が必要とする帯域に関する情報であってもよい。例えば、ネットワークアシスト情報は、移動通信装置１０に設定する通信間隔を短くするもしくは長くするということを指示する情報であってもよく、移動通信装置１０に割り当てる通信帯域を広くするもしくは狭くするということを指示する情報であってもよい。
【００２８】
もしくは、ネットワークアシスト情報は、例えば、移動通信装置１０の移動状況に関する情報であってもよい。例えば、ネットワークアシスト情報は、移動通信装置１０が移動することが予測されるため位置登録エリアを広くする、もしくは移動通信装置１０が所定期間の間停止していることが予測されるため位置登録エリアを狭くするということを指示する情報であってもよい。
【００２９】
さらに、ネットワークアシスト情報は、ネットワークの処理を指示する情報を含んでもよい。ネットワーク処理は、例えば、ネットワークパラメータの変更を行う処理であってもよい。
【００３０】
ネットワークパラメータは、例えば、移動通信装置１０が無線通信を行うために必要なリソース情報を定める値であってもよい。例えば、ネットワークパラメータは、移動通信装置１０に割り当てる通信帯域値、移動通信装置１０に設定する通信間隔時間もしくは移動通信装置１０の位置登録エリア等に関する情報であってもよい。また、ネットワークパラメータは、移動通信装置１０を移動通信ネットワーク４０から切り離すタイミングであってもよい。
【００３１】
以上説明したように、図１の移動通信システムを用いることにより、ネットワークオペレータ装置３０は、移動通信装置１０が検出した接続情報に応じて定まるネットワークアシスト情報を用いて移動通信装置１０に関するネットワークパラメータ等を変更することが出来る。つまり、ネットワークオペレータ装置３０は、移動通信装置１０において動的に変更する情報に基づいて、移動通信装置１０に関するネットワークパラメータ等を変更することができる。そのため、移動通信ネットワーク４０に配置されているネットワークオペレータ装置３０は、移動通信装置１０における接続情報が変化する度に、ネットワークパラメータの設定を最適に保つことが出来る。これにより、例えば、移動通信ネットワーク４０における通信リソースの効率的な使用を実現することが出来る。
【００３２】
（実施の形態２）
続いて、図２を用いて本発明の実施の形態２にかかる移動通信システムの構成例について説明する。図２の移動通信システムは、モバイルルータ１２、接続デバイス２１〜２３、ネットワーク（ＮＷ）ノード制御装置３２及びＮＷノード３４を有している。ＮＷノード制御装置３２及びＮＷノード３４は、移動通信ネットワーク４０に配置されている。図２においては、図１と同様の装置には図１と同様の符号を付して説明する。また、図１と同様の装置については、詳細な説明を省略する。
【００３３】
ＮＷノード制御装置３２及びＮＷノード３４は、移動通信ネットワーク４０を構成する。移動通信ネットワーク４０は、３ＧＰＰにおいて規定される２Ｇ／３Ｇ／ＬＴＥ等のネットワークであってもよく、ＰＨＳネットワーク、Ｗｉｍａｘネットワークもしくは無線ＬＡＮ等であってもよい。
【００３４】
モバイルルータ１２は、図１の移動通信装置１０に相当する。ＮＷノード制御装置３２及びＮＷノード３４は、図１のネットワークオペレータ装置３０に相当する。モバイルルータ１２は、接続デバイス２１〜２３と移動通信ネットワーク４０との間の通信を中継する。つまり、モバイルルータ１２は、接続デバイス２１〜２３から送信されたデータを移動通信ネットワーク４０へ送信し、移動通信ネットワーク４０から送信されたデータを接続デバイス２１〜２３へ送信する。
【００３５】
ここで、モバイルルータ１２は、検出した接続情報に応じたネットワークアシスト情報を生成する。モバイルルータ１２は、生成したネットワークアシスト情報をＮＷノード制御装置３２へ送信する。
【００３６】
ここで、モバイルルータ１２は、接続デバイス２１〜２３のうち少なくとも１台が自装置に接続もしくは自装置から離脱したタイミングにネットワークアシスト情報をＮＷノード制御装置３２へ送信してもよい。もしくは、モバイルルータ１２は、接続デバイス２１〜２３が、移動通信ネットワーク４０を介した通信を開始もしくは終了したタイミングにネットワークアシスト情報をＮＷノード制御装置３２へ送信してもよい。もしくは、モバイルルータ１２は、電源が投入されネットワークへアタッチするタイミングにネットワークアシスト情報をＮＷノード制御装置３２へ送信してもよい。もしくは、モバイルルータ１２は、移動通信ネットワーク４０から離脱しているＩｄｌｅ状態から移動通信ネットワーク４０へ接続しているＣｏｎｎｅｃｔｅｄ状態へ遷移したタイミングに、ネットワークアシスト情報をＮＷノード制御装置３２へ送信してもよい。もしくは、モバイルルータ１２は、定期的にネットワークアシスト情報をＮＷノード制御装置３２へ送信してもよい。
【００３７】
ＮＷノード３４は、モバイルルータ１２を含む移動通信ネットワーク４０に接続している移動通信装置に関するネットワークパラメータを管理する。
【００３８】
ＮＷノード制御装置３２は、ＮＷノード３４において管理されているネットワークパラメータの変更を指示するメッセージをＮＷノード３４へ送信する。ＮＷノード制御装置３２は、モバイルルータ１２から送信されたネットワークアシスト情報に関連付けられた、モバイルルータ１２に関するネットワークパラメータの変更を指示するメッセージをＮＷノード３４へ送信する。ＮＷノード３４は、ＮＷノード制御装置３２から送信された指示メッセージに基づいてネットワークパラメータを変更する。また、ＮＷノード３４は、ＮＷノード制御装置３２から送信されたネットワークパラメータの変更指示を、他のＮＷノード３４へ転送してもよい。このようにして、ＮＷノード３４は、ＮＷノード制御装置３２から直接ネットワークパラメータの変更指示を受け付ける場合以外にも、他のＮＷノード３４を経由してネットワークパラメータの変更指示を受け付けてもよい。
【００３９】
次に、図３を用いて本発明の実施の形態２にかかるモバイルルータ１２の構成例について説明する。モバイルルータ１２は、接続情報抽出部５２及びネットワークアシスト情報生成部５４を有している。
【００４０】
接続情報抽出部５２は、モバイルルータ１２に接続されている接続デバイス２１〜２３に関する接続情報を抽出する。さらに、接続情報抽出部５２は、抽出した接続情報をネットワークアシスト情報生成部５４へ出力する。
【００４１】
ネットワークアシスト情報生成部５４は、接続情報抽出部５２から出力された接続情報を用いてネットワークアシスト情報を生成する。
【００４２】
ここで、接続情報、ネットワークアシスト情報及びネットワークパラメータに関して具体的に説明を行う。はじめに、接続情報としてモバイルルータ１２に接続している接続デバイスの数が検出された場合について説明する。
【００４３】
モバイルルータ１２は、接続情報としてモバイルルータ１２に接続している接続デバイスの数が予め定められた値よりも多いことを検出した場合、モバイルルータ１２に割り当てられる通信帯域を予め定められた値よりも広い値を設定するようネットワークアシスト情報を定めてもよい。つまり、モバイルルータ１２に接続されている接続デバイスが多い場合、モバイルルータ１２と移動通信ネットワーク４０との間におけるデータ通信量も増加すると推定されるため、モバイルルータ１２に割り当てる通信帯域を広くする。さらに、ＮＷノード制御装置３２は、モバイルルータ１２から送信されたネットワークアシスト情報を受信すると、ＮＷノード３４に対して、ネットワークパラメータとしてモバイルルータ１２に割り当てられている通信帯域を広くすることを示す指示メッセージを送信する。モバイルルータ１２は、接続情報としてモバイルルータ１２に接続している接続デバイスの数が予め定められた値よりも少ないことを検出した場合、モバイルルータ１２に割り当てられる通信帯域を予め定められた値よりも狭い値を設定するようネットワークアシスト情報を定めてもよい。
【００４４】
また、ネットワークアシスト情報として、モバイルルータ１２において必要とする帯域が通知された場合、ＮＷノード制御装置３２は、モバイルルータ１２が利用するベアラを決定するようにしてもよい。ベアラは、例えば、３ＧＰＰの２Ｇ／３Ｇネットワークにおいて用いられている無線ベアラ、３ＧＰＰのＬＴＥにおいて用いられている無線ベアラ、無線ＬＡＮにおいて用いられる無線ベアラ、ＰＨＳにおいて用いられる無線ベアラ、もしくは、Ｗｉｍａｘにおいて用いられる無線ベアラがある。
【００４５】
また、モバイルルータ１２は、接続情報としてモバイルルータ１２に接続している接続デバイスの数が予め定められた値よりも多いことを検出した場合、モバイルルータ１２に設定される通信間隔を予め定められた値よりも短い値に設定するようネットワークアシスト情報を定めてもよい。つまり、モバイルルータ１２に接続されている接続デバイスが多い場合、モバイルルータ１２と移動通信ネットワーク４０との間に発生する通信も頻繁に発生することが想定される。そのため、モバイルルータ１２に設定される通信間隔を短くすることによって、モバイルルータ１２に多くの通信機会を付与する。さらに、ＮＷノード制御装置３２は、モバイルルータ１２から送信されたネットワークアシスト情報を受信すると、ＮＷノード３４に対して、ネットワークパラメータとしてモバイルルータ１２に設定されている通信間隔を短くすることを示す指示メッセージを送信する。モバイルルータ１２は、接続情報としてモバイルルータ１２に接続している接続デバイスの数が予め定められた値よりも少ないことを検出した場合、モバイルルータ１２に設定される通信間隔を予め定められた値よりも長い値に設定するようネットワークアシスト情報を定めてもよい。
【００４６】
通信間隔を示すネットワークパラメータは、モバイルルータ１２を移動通信ネットワーク４０に接続されている状態（Connect Mode）から移動通信ネットワーク４０から切断される状態（Idle Mode）へ変更するタイミングを定めたInactivity Timerであってもよい。モバイルルータ１２が移動通信ネットワーク４０に接続されている状態は、モバイルルータ１２がＮＷノード３４に接続されている状態と同様である。
【００４７】
次に、接続情報としてモバイルルータ１２に接続しているデバイス種別が検出された場合について説明する。
【００４８】
モバイルルータ１２は、モバイルルータ１２に接続しているデバイスとして、データ通信量の多いデバイスを検出した場合、モバイルルータ１２に割り当てられる通信帯域を予め定められた値よりも広い値を設定することを示すネットワークアシスト情報を定めてもよい。モバイルルータ１２は、モバイルルータ１２に接続しているデバイスとして、データ通信量の少ないデバイスを検出した場合、モバイルルータ１２に割り当てられる通信帯域を予め定められた値よりも狭い値を設定することを示すネットワークアシスト情報を定めてもよい。この後は接続情報として接続デバイスの数を検出した場合と同様、モバイルルータ１２は、ネットワークアシスト情報をＮＷノード３４へ送信する。
【００４９】
データ通信量の多いデバイスは、例えば、カーナビゲーションシステム、ゲーム端末等である。また、データ通信量の少ないデバイスは、例えば、スピーカ、温度センサ等である。デバイス種別の分類は、上述した分類に制限されず、モバイルルータ１２を操作するユーザ等は、デバイス種別の分類を変更することが可能である。
【００５０】
また、デバイス種別が、通信機会の多いデバイスと少ないデバイスとに分類された場合について説明する。通信機会の多いデバイスは、例えば、スピーカ、温度センサ、カーナビゲーションシステム等である。また、通信機会の少ないデバイスは、例えば、ゲーム等である。デバイス種別の分類は、上述した分類に制限されず、モバイルルータ１２を操作するユーザ等は、デバイス種別の分類を変更することが可能である。
【００５１】
モバイルルータ１２は、モバイルルータ１２に接続しているデバイスとして、通信機会の多いデバイスを検出した場合、モバイルルータ１２に設定される通信間隔を予め定められた値よりも短い値に設定することを示すネットワークアシスト情報を定めてもよい。モバイルルータ１２は、モバイルルータ１２に接続しているデバイスとして、通信機会の少ないデバイスを検出した場合、モバイルルータ１２に設定される通信間隔を予め定められた値よりも長い値に設定することを示すネットワークアシスト情報を定めてもよい。
【００５２】
また、デバイス種別が、移動頻度が高いデバイスと、移動頻度が低いデバイスとに分類された場合について説明する。移動頻度が高いデバイスは、例えば、歩数計、車両に取り付けられたデバイス等である。移動頻度が低いデバイスは、例えばゲーム等である。デバイス種別の分類は、上述した分類に制限されず、モバイルルータ１２を操作するユーザ等は、デバイス種別の分類を変更することが可能である。
【００５３】
モバイルルータ１２は、モバイルルータ１２に接続しているデバイスとして、移動頻度が高いデバイスを検出した場合、モバイルルータ１２の位置登録エリアを予め定められたエリアよりも広いエリアに設定することを示すネットワークアシスト情報を定めてもよい。さらに、モバイルルータ１２は、モバイルルータ１２に接続しているデバイスの移動速度が速いことを検出した場合、モバイルルータ１２の位置登録エリアをさらに広いエリアに設定することを示すネットワークアシスト情報を定めてもよい。
【００５４】
次に、接続情報としてモバイルルータ１２に接続しているアクティブ状態もしくは非アクティブ状態の接続デバイスの数が検出された場合について説明する。
【００５５】
モバイルルータ１２は、モバイルルータ１２に接続している接続デバイスであって、アクティブ状態の接続デバイスの数が予め定められた値よりも多いことを検出した場合、モバイルルータ１２に割り当てられる通信帯域を予め定められた値よりも広い値を設定することを示すネットワークアシスト情報を定めてもよい。モバイルルータ１２は、モバイルルータ１２に接続している接続デバイスであって、アクティブ状態の接続デバイスの数が予め定められた値よりも少ないことを検出した場合、モバイルルータ１２に割り当てられる通信帯域を予め定められた値よりも狭い値を設定することを示すネットワークアシスト情報を定めてもよい。
【００５６】
また、モバイルルータ１２は、モバイルルータ１２に接続している接続デバイスであって、アクティブ状態の接続デバイスの数が予め定められた値よりも多いことを検出した場合、モバイルルータ１２に設定される通信間隔を予め定められた値よりも短い値に設定することを示すネットワークアシスト情報を定めてもよい。モバイルルータ１２は、モバイルルータ１２に接続している接続デバイスであって、アクティブ状態の接続デバイスの数が予め定められた値よりも少ないことを検出した場合、モバイルルータ１２に設定される通信間隔を予め定められた値よりも長い値に設定することを示すネットワークアシスト情報を定めてもよい。
【００５７】
次に、接続情報としてモバイルルータ１２と接続デバイスとの間の品質に関する情報が検出された場合について説明する。
【００５８】
モバイルルータ１２は、接続デバイスとの間の品質が低下しているとの情報を検出した場合、モバイルルータ１２に割り当てられる通信帯域を予め定められた値よりも狭い値を設定することを示すネットワークアシスト情報を定めてもよい。つまり、モバイルルータ１２と接続デバイスとの間の品質が低下している場合、モバイルルータ１２と接続デバイスとの間において送受信されるデータのロスを抑えるために、ネットワーク情報として、通信帯域を狭くするように設定することを示してもよい。
【００５９】
また、モバイルルータ１２は、接続デバイスとの間の品質が向上しているとの情報を検出した場合、モバイルルータ１２に割り当てられる通信帯域を予め定められた値よりも広い値を設定することを示すネットワークアシスト情報を定めてもよい。
【００６０】
さらに、モバイルルータ１２は、接続デバイス２１〜２３との間の使用帯域が、予め定められた値よりも高いことを検出した場合、モバイルルータ１２に割り当てられる通信帯域をさらに広く設定することを示すネットワークアシスト情報を定めてもよい。
【００６１】
また、モバイルルータ１２は、接続デバイス２１〜２３との間の使用帯域が、予め定められた値よりも低いことを検出した場合、モバイルルータ１２に割り当てられる通信帯域を現在よりも狭く設定することを示すネットワークアシスト情報を定めてもよい。
【００６２】
次に、接続情報として接続デバイスの状態である電池残量に関する情報が検出された場合について説明する。
【００６３】
モバイルルータ１２は、接続デバイスの電池残量が予め定められた値よりも少ないとの情報を検出した場合、モバイルルータ１２に割り当てられる通信帯域を予め定められた値よりも狭くすることを示すネットワークアシスト情報を定め、さらに、モバイルルータ１２における間欠受信において、受信期間を短くすることを示すネットワークアシスト情報を定めてもよい。これは、接続デバイスの電池残量が少ない場合、電池を節約するために接続デバイスから送信されるデータ量が少なくなり、さらに、通信機会も減少することが予測されるためである。
【００６４】
また、モバイルルータ１２は、接続デバイスの電池残量が予め定められた値よりも多いとの情報を検出した場合、モバイルルータ１２に割り当てられる通信帯域を予め定められた値よりも広くすることを示すネットワークアシスト情報を定め、さらに、モバイルルータ１２における間欠受信において、受信期間を長くすることを示すネットワークアシスト情報を定めてもよい。
【００６５】
ここで、接続デバイスの電池残量が予め定められた値よりも少ない場合、電池残量がなくなる前に送信を予定しているデータを送信させるために、電池残量の少ない接続デバイスから送信されるデータを優先的に移動通信ネットワーク４０へ送信することも考えられる。このような場合、モバイルルータ１２は、モバイルルータ１２に関する通信の優先度を高くすることを示すネットワークアシスト情報を定めてもよい。
【００６６】
上記の説明においては、モバイルルータ１２が、接続情報として、接続している接続デバイスの数、接続デバイスの種別、アクティブ状態の接続デバイスの数、接続デバイスとの間の品質もしくは接続デバイスの電池残量のいずれかを検出した場合に生成されるネットワークアシスト情報について説明した。ここで、モバイルルータ１２は、接続情報として、接続している接続デバイスの数、接続デバイスの種別、アクティブ状態の接続デバイスの数、接続デバイスとの間の品質もしくは接続デバイスの電池残量のうち２つ以上の情報を用いてネットワークアシスト情報を生成してもよい。
【００６７】
例えば、モバイルルータ１２は、接続している接続デバイスの数が予め定められた値よりも少ない場合であっても、接続デバイスの種別としてデータ通信量の多い接続デバイスであることを検出した場合、モバイルルータ１２に割り当てられる通信帯域を予め定められた値よりも広い値を設定するようネットワークアシスト情報を定めてもよい。もしくは、モバイルルータ１２は、接続している接続デバイスの数が予め定められた値より多い場合であっても、アクティブ状態の接続デバイスの数が予め定められた値よりも小さい場合、モバイルルータ１２に割り当てられる通信帯域を予め定められた値よりも狭い値を設定するようネットワークアシスト情報を定めてもよい。
【００６８】
もしくは、モバイルルータ１２は、接続情報として、接続している接続デバイスの数、接続デバイスの種別、アクティブ状態の接続デバイスの数、接続デバイスとの間の品質もしくは接続デバイスの電池残量に関する情報のうち２つ以上の情報を用いてネットワークアシスト情報を設定してもよく、全ての情報を用いてネットワークアシスト情報を設定してもよい。
【００６９】
上記に説明したように、接続している接続デバイスの数、接続デバイスの種別、アクティブ状態の接続デバイスの数、接続デバイスとの間の品質もしくは接続デバイスの電池残量に関する情報のうち少なくとも１つの情報を用いて、ネットワークアシスト情報を生成してもよい。また、生成されるネットワークアシスト情報は、上記の例に制限されず、用いる接続情報の組み合わせ及び接続情報の値に応じて、モバイルルータのユーザもしくは移動通信ネットワークの管理者等が、ネットワークアシスト情報を定めてもよい。
【００７０】
続いて、図４を用いて本発明の実施の形態２にかかるネットワークパラメータの変更処理の流れについて説明する。
【００７１】
はじめに、モバイルルータ１２は、モバイルルータ１２に接続している接続デバイスに関する接続情報を抽出する（Ｓ１１）。次に、モバイルルータ１２は、抽出した接続情報を用いてネットワークアシスト情報を生成する（Ｓ１２）。次に、モバイルルータ１２は、ネットワークアシスト情報通知メッセージをＮＷノード制御装置３２へ送信する（Ｓ１３）。モバイルルータ１２は、生成したネットワークアシスト情報をネットワークアシスト情報通知メッセージに設定する。モバイルルータ１２は、基地局及び移動通信ネットワーク４０内に配置されている他の装置等を介してネットワークアシスト情報通知メッセージをＮＷノード制御装置３２へ送信してもよい。
【００７２】
ＮＷノード制御装置３２は、モバイルルータ１２から通知されたネットワークアシスト情報に基づいて、変更すべきネットワークパラメータを決定する。ＮＷノード制御装置３２は、決定したネットワークパラメータの変更を指示するために、ネットワークパラメータ変更通知メッセージをＮＷノード３４へ送信する（Ｓ１４）。次に、ＮＷノード３４は、ネットワークパラメータ変更通知メッセージにおいて指定されたネットワークパラメータを変更する（Ｓ１５）。
【００７３】
以上説明したように、本発明の実施の形態２にかかるモバイルルータは、自装置に接続されている接続デバイスの接続情報を抽出することができる。さらに、モバイルルータは、抽出した接続情報に基づいてネットワークアシスト情報を生成することができる。ＮＷノード制御装置３２は、モバイルルータにおいて生成されたネットワークアシスト情報を用いて、モバイルルータに関連するネットワークパラメータを変更することができる。これによって、モバイルルータ１２に関するネットワークパラメータを最適な値に設定することができる。
【００７４】
（実施の形態３）
続いて、図５を用いて本発明の実施の形態３にかかるモバイルルータ１２の構成例について説明する。図５のモバイルルータ１２は、接続情報抽出部５２を有している。本図のモバイルルータ１２は、ネットワークアシスト情報生成部５４を有していない点において図３のモバイルルータ１２と異なる。本図の接続情報抽出部５２は、接続している接続デバイスに関する接続情報を抽出し、抽出した接続情報をＮＷノード制御装置３２へ送信する。
【００７５】
ここで、モバイルルータ１２は、接続デバイス２１〜２３のうち少なくとも１台が自装置に接続もしくは自装置から離脱したタイミングに接続情報をＮＷノード制御装置３２へ送信してもよい。もしくは、モバイルルータ１２は、接続デバイス２１〜２３が、移動通信ネットワーク４０を介した通信を開始もしくは終了したタイミングに接続情報をＮＷノード制御装置３２へ送信してもよい。もしくは、モバイルルータ１２は、電源が投入されネットワークへアタッチするタイミングに接続情報をＮＷノード制御装置３２へ送信してもよい。もしくは、モバイルルータ１２は、移動通信ネットワーク４０から離脱しているＩｄｌｅ状態から移動通信ネットワーク４０へ接続しているＣｏｎｎｅｃｔｅｄ状態へ遷移したタイミングに、接続情報をＮＷノード制御装置３２へ送信してもよい。もしくは、モバイルルータ１２は、定期的に接続情報をＮＷノード制御装置３２へ送信してもよい。
【００７６】
接続情報抽出部５２は、接続情報を制御メッセージに設定してＮＷノード制御装置３２へ送信する。制御メッセージは、音声データもしくは画像データ等とのユーザデータとは異なるメッセージである。制御メッセージは、Ｃ−Ｐｌａｎｅデータと称されてもよい。
【００７７】
続いて、図６を用いて本発明の実施の形態３にかかるＮＷノード制御装置３２の構成例について説明する。図６のＮＷノード制御装置３２は、ネットワークアシスト情報生成部６２を有している。ネットワークアシスト情報生成部６２は、図３のネットワークアシスト情報生成部５４と同様の機能を有するため、詳細な説明を省略する。ネットワークアシスト情報生成部６２は、モバイルルータ１２の接続情報抽出部５２から送信された接続情報に応じてネットワークアシスト情報を生成する。
【００７８】
続いて、図７を用いて本発明の実施の形態３にかかるネットワークパラメータの変更処理の流れについて説明する。
【００７９】
はじめに、モバイルルータ１２は、モバイルルータ１２に接続している接続デバイスに関する接続情報を抽出する（Ｓ２１）。次に、モバイルルータ１２は、抽出した接続情報をＮＷノード制御装置３２へ送信する（Ｓ２２）。次に、ＮＷノード制御装置３２は、モバイルルータ１２から送信された接続情報に応じてネットワークアシスト情報を生成する（Ｓ２３）。
【００８０】
ＮＷノード制御装置３２は、生成したネットワークアシスト情報に基づいて、変更すべきネットワークパラメータを決定する。ＮＷノード制御装置３２は、決定したネットワークパラメータの変更を指示するネットワークパラメータ変更通知メッセージをＮＷノード３４へ送信する（Ｓ２４）。次に、ＮＷノード３４は、ネットワークパラメータ変更通知メッセージにおいて指定されたネットワークパラメータを変更する（Ｓ２５）。
【００８１】
以上説明したように、本発明の実施の形態３にかかるモバイルルータ１２は、接続している接続デバイスに関する接続情報を抽出し、抽出した接続情報をＮＷノード制御装置３２へ送信する。ＮＷノード制御装置３２は、モバイルルータ１２から送信された接続情報に応じてネットワークアシスト情報を生成する。実施の形態３においては、接続情報の抽出とネットワークアシスト情報の生成とを異なる装置において実行するため、これらの処理を一つの装置において実行する場合と比較して一つの装置における処理負荷を軽減させることができる。
【００８２】
（実施の形態４）
続いて、図８を用いて本発明の実施の形態４にかかる移動通信システムの構成例について説明する。図８の移動通信システムは、図２の移動通信システムにサービスプラットフォーム（ＰＦ）７０及びアプリケーション（ＡＰＬ）サーバ８０を追加している。
【００８３】
ＡＰＬサーバ８０は、アプリケーションサービスプロバイダーによって管理される装置である。アプリケーションサービスプロバイダーは、例えば、アプリケーションサービスを提供する企業等である。また、アプリケーションサービスプロバイダーは、移動通信事業者とは異なる事業者であってもよい。つまり、アプリケーションサーバは、移動通信事業者の管理する移動通信ネットワークとは異なる管理ポリシーによって管理されるネットワークに配置されてもよい。ＡＰＬサーバ８０は、モバイルルータ１２に接続されている接続デバイス２１〜２３から送信されたセンサ情報等を受信し、受信したセンサ情報等を活用したサービスを提供する。
【００８４】
サービスＰＦ７０は、例えば、サービスプロバイダーによって管理される装置群である。そのため、サービスＰＦ７０は、複数のサーバ装置によって構成されてもよく、もしくは１つのサーバ装置によって構成されてもよい。サービスプロバイダーは、例えば、ＡＰＬサーバ８０がアプリケーションサービスを提供するために生成したデータを、移動通信ネットワーク４０を介して接続されている通信装置へ送信する事業者であってもよい。サービスＰＦ７０には、アプリケーションサービスプロバイダーが異なる複数のＡＰＬサーバ８０が接続されてもよい。
【００８５】
サービスＰＦ７０は、モバイルルータ１２から送信された接続情報を受信する。さらに、サービスＰＦ７０は、受信した接続情報に応じてネットワークアシスト情報を生成する。
【００８６】
また、サービスプロバイダーは、移動通信事業者及びアプリケーションサービスプロバイダーとは異なる事業者であってもよい。つまり、サービスＰＦ７０は、移動通信事業者及びアプリケーションサービスプロバイダーの管理するネットワークとは異なる管理ポリシーによって管理されるネットワークに配置されてもよい。もしくは、サービスプロバイダー及びアプリケーションサービスプロバイダーは、同一の事業者であってもよく、サービスＰＦ７０及びＡＰＬサーバ８０は、同一の管理ポリシーによって管理されるネットワークに配置されてもよい。もしくは、サービスプロバイダー及び移動通信事業者は、同一の事業者であってもよく、サービスＰＦ７０及びＮＷノード制御装置３２は、同一の管理ポリシーによって管理されるネットワークに配置されてもよい。もしくは、サービスプロバイダー、移動通信事業者及びアプリケーションサービスプロバイダーは、同一の事業者であってもよく、サービスＰＦ７０、ＡＰＬサーバ８０及びＮＷノード制御装置３２は、同一の管理ポリシーによって管理されるネットワークに配置されてもよい。
【００８７】
ここで、図９を用いて本発明の実施の形態４にかかるサービスＰＦ７０の構成例について説明する。サービスＰＦ７０は、ネットワークアシスト情報生成部７２を有している。ネットワークアシスト情報生成部７２は、モバイルルータ１２から送信された接続情報を受信する。ネットワークアシスト情報生成部７２は、モバイルルータ１２から移動通信ネットワーク４０を介して送信された接続情報を受信してもよく、移動通信ネットワーク４０とは異なるネットワークを介して送信された接続情報を受信してもよい。また、ネットワークアシスト情報生成部７２は、モバイルルータ１２から送信されたユーザデータに含まれる接続情報を受信してもよい。
【００８８】
続いて、図１０を用いて本発明の実施の形態４にかかるネットワークパラメータの変更処理の流れについて説明する。はじめに、モバイルルータ１２は、モバイルルータ１２に接続している接続デバイスに関する接続情報を抽出する（Ｓ３１）。次に、モバイルルータ１２は、抽出した接続情報をサービスＰＦ７０へ送信する（Ｓ３２）。例えばモバイルルータ１２は、アプリケーションデータとして接続情報をサービスＰＦ７０へ送信してもよい。アプリケーションデータは、例えばユーザデータと称されてもよい。アプリケーションデータには、音声データ、画像データもしくは音楽データ等が含まれる。
【００８９】
次に、サービスＰＦ７０は、モバイルルータ１２から送信された接続情報を用いてネットワークアシスト情報を生成する（Ｓ３３）。次に、サービスＰＦ７０は、ネットワークアシスト情報通知メッセージをＮＷノード制御装置３２へ送信する。ネットワークアシスト情報通知メッセージは、サービスＰＦ７０において生成されたネットワークアシスト情報を含む。
【００９０】
ＮＷノード制御装置３２は、生成したネットワークアシスト情報に基づいて、変更すべきネットワークパラメータを決定する。ＮＷノード制御装置３２は、決定したネットワークパラメータの変更を指示するネットワークパラメータ変更通知メッセージをＮＷノード３４へ送信する（Ｓ３５）。次に、ＮＷノード３４は、ネットワークパラメータ変更通知メッセージにおいて指定されたネットワークパラメータを変更する（Ｓ３６）。
【００９１】
上記の例においては、モバイルルータ１２が接続情報を抽出し、サービスＰＦ７０がネットワークアシスト情報を生成する処理の流れについて説明した。ここで、モバイルルータ１２が、図３の構成を有する場合、モバイルルータ１２がネットワークアシスト情報を生成し、生成したネットワークアシスト情報をサービスＰＦ７０へ送信してもよい。この場合、サービスＰＦ７０は、モバイルルータ１２から送信されたネットワークアシスト情報をＮＷノード制御装置３２へ送信する。
【００９２】
次に、図８の移動通信システムを用いた具体的なユースケースについて説明を行う。ＡＰＬサーバ８０として、運送会社の監視サーバを用いる場合について説明を行う。運送会社のトラックは、各地方から集積場を経由して目的の場所へ荷物を配達する。この時、運送会社は、荷物に接続デバイス２１として、温度センサもしくは振動センサ等を取り付ける。さらに、トラックは、モバイルルータ１２を有する。荷物に取り付けられた各センサは、定期的にセンサ情報をモバイルルータ１２を介して監視サーバへ送信する。また、各センサとモバイルルータ１２とは、近距離無線通信を用いて通信を行ってもよい。
【００９３】
監視サーバは、センサから定期的に送信されるセンサ情報を取得し、荷物の品質もしくは温度を管理する。
【００９４】
モバイルルータ１２は、接続している各センサから送信されたセンサ情報を監視サーバへ送信する。さらに、モバイルルータ１２は、接続しているセンサの数、センサの種別もしくはアクティブ状態のセンサの数等に関する接続情報を検出し、検出した接続情報をサービスＰＦ７０へ送信する。
【００９５】
サービスＰＦ７０は、送信された接続情報に応じてネットワークアシスト情報を生成する。サービスＰＦ７０は、例えば、センサを多く接続しているモバイルルータ１２に対して、通信帯域を広くすることを指示するネットワークアシスト情報を生成し、生成したネットワークアシスト情報をＮＷノード制御装置３２へ送信してもよい。
【００９６】
ＮＷノード制御装置３２は、送信されたネットワークアシスト情報に基づいて変更すべきネットワークパラメータを決定し、決定した情報をＮＷノード３４へ通知する。ＮＷノード３４は、通知された情報に基づいてネットワークパラメータを変更する。
【００９７】
このように、複数の荷物を配達するトラック毎にモバイルルータ１２を設けることによって、サービスＰＦ７０は、モバイルルータ１２からモバイルルータ１２における接続情報を収集することが出来る。サービスＰＦ７０は、収集した接続情報を用いて、移動通信ネットワーク４０におけるネットワークパラメータを最適な値に設定するようネットワークアシスト情報を生成し、ＮＷノード制御装置３２へ通知することが出来る。
【００９８】
さらに、図１１を用いて図１０とは異なるネットワークパラメータの変更処理の流れについて説明する。はじめに、モバイルルータ１２は、モバイルルータ１２に接続している接続デバイスに関する接続情報を抽出する（Ｓ４１）。次に、モバイルルータ１２は、抽出した接続情報をＡＰＬサーバ８０へ送信する（Ｓ４２）。例えばモバイルルータ１２は、アプリケーションデータとして接続情報をＡＰＬサーバ８０へ送信してもよい。図１０においては、モバイルルータ１２は、抽出した接続情報をサービスＰＦ７０へ送信したが、図１１においては、抽出した接続情報をＡＰＬサーバ８０へ送信する。
【００９９】
次に、ＡＰＬサーバ８０は、モバイルルータ１２から送信された接続情報をサービスＰＦ７０へ送信する（Ｓ４３）。ステップＳ４４〜Ｓ４７は、図１０のステップＳ３３〜Ｓ３６と同様であるため詳細な説明を省略する。図１１におけるＡＰＬサーバ８０は、例えば、ＯＭＡ−ＤＭ（Open Mobile Alliance-Device Management）として定められているデバイス管理機能を用いて、モバイルルータ１２から送信される接続情報を収集してもよい。
【０１００】
以上説明したように、本発明の実施の形態４にかかる通信システムは、サービスＰＦ７０及びＡＰＬサーバ８０を有している。本実施の形態においては、モバイルルータ１２は、移動通信ネットワーク４０の外部ネットワークに配置されたサービスＰＦ７０へ接続情報を送信する。もしくは、モバイルルータ１２は、ＡＰＬサーバ８０へ接続情報を送信し、ＡＰＬサーバ８０がサービスＰＦ７０へ接続情報を送信してもよい。さらに、サービスＰＦ７０は、受信した接続情報に応じてネットワークアシスト情報を生成することが出来る。モバイルルータ１２は、ユーザデータとして接続情報をサービスＰＦ７０へ送信することが出来るため、移動通信ネットワーク４０との間において新たな制御メッセージを定義する必要がない。
【０１０１】
また、本実施の形態において、モバイルルータ１２がサービスＰＦ７０へ接続情報を送信する処理の流れについて説明しているが、モバイルルータ１２は、ネットワークアシスト情報を生成し、生成したネットワークアシスト情報をサービスＰＦ７０へ送信してもよい。このような場合、サービスＰＦ７０は、モバイルルータ１２から送信されたネットワークアシスト情報をＮＷノード制御装置３２へ送信する。
【０１０２】
（実施の形態５）
続いて、図１２を用いて本発明の実施の形態５にかかる移動通信ネットワーク４０の構成例について説明する。本図においては、移動通信事業者が、３ＧＰＰ（3rd Generation Partnership Project）において規定された移動通信ネットワーク４０を用いる例について説明する。本図においては無線アクセスＮＷ装置９１、ＨＳＳ９７、ＭＭＥ（Mobility Management Entity）９２、Ｓ−ＧＷ（Serving Gateway）９５及びＰ−ＧＷ（Packet Data Network Gateway）９６は、ＮＷノード３４に相当する。また、ＮＷノード３４は、３ＧＰＰに規定されているノード装置であるＰＣＲＦを含んでもよい。
【０１０３】
また、ＭＴＣ−ＩＷＦ９３は、ＮＷノード制御装置３２に相当する。ＳＣＳ９４は、サービスＰＦ７０に相当する。
【０１０４】
無線アクセスＮＷ装置９１は、基地局であってもよい。また、無線アクセスＮＷ装置９１は、無線方式としてＬＴＥ（Long Term Evolution）を用いる場合の基地局であるｅＮＢであってもよい。ＭＭＥ９２は、主にＭ２Ｍデバイス２１の移動管理を行う。ＳＣＳ９４は、アプリケーションサーバと通信を行うために設けられた通信ノードであり、アプリケーションサーバとの間において、例えばセンサ情報等を送受信する。ＳＣＳ９４は、ネットワークアシスト情報をＭＴＣ−ＩＷＦ９３へ出力する。ＭＴＣ−ＩＷＦ９３とＳＣＳ９４との間のインタフェースは、３ＧＰＰにおいて定められたＴｓｐインタフェースを用いる。ＴｓｐインタフェースにはDiameter protocolが用いられる。
【０１０５】
Ｓ−ＧＷ９５及びＰ−ＧＷ９６は、モバイルルータ１２から送信された音声データもしくは画像データ等のユーザデータを送受信する。Ｓ−ＧＷ９５及びＰ−ＧＷ９６は、無線アクセスＮＷ装置９１を介して送信されたユーザデータを中継して、ＳＣＳ９４へ出力する。
【０１０６】
ＭＴＣ−ＩＷＦ９３は、ＳＣＳ９４から出力されたネットワークアシスト情報に基づいて、ＨＳＳ９７、ＭＭＥ９２、Ｓ−ＧＷ９５、Ｐ−ＧＷ９６等において管理されているモバイルルータ１２に関するＮＷパラメータを変更させる。また、ＭＭＥ９２及びＨＳＳ９７においてモバイルルータ１２に関するＮＷパラメータを管理している場合には、ＭＴＣ−ＩＷＦ９３は、ＭＭＥ９２及びＨＳＳ９７において管理されているモバイルルータ１２に関するＮＷパラメータを変更させる。もしくは、ＭＴＣ−ＩＷＦ９３は、ＳＣＳ９４から出力されたネットワークアシスト情報に基づいて、Ｓ−ＧＷ９５、Ｐ−ＧＷ９６及び無線アクセスＮＷ装置９１であるｅＮＢにおいて管理されているモバイルルータ１２に関するＮＷパラメータを変更させる場合には、ＭＭＥ９２を経由して、それぞれの装置のＮＷパラメータを変更させてもよい。以下に、ＮＷパラメータとして、Inactivity Timer、Connection keep time、DRX Timer、Backoff Timer、及び帯域保証パラメータ等が用いられる場合について具体的に説明する。
【０１０７】
ＭＴＣ−ＩＷＦ９３は、Inactivity Timer、Connection keep timeもしくはDRX Timerを変更する場合、ＨＳＳ９７もしくはＭＭＥ９２へ変更指示メッセージを出力する。さらに、ＭＴＣ−ＩＷＦ９３は、ｅＮＢが保持するInactivity Timer等に関連するパラメータについても変更するために、ｅＮＢへ変更指示メッセージを出力する。
【０１０８】
ＭＴＣ−ＩＷＦ９３は、Backoff Timerを変更する場合、ＭＭＥ９２へ変更指示メッセージを出力する。ＭＴＣ−ＩＷＦ９３は、通信ポリシー、QCI（QoS）及び帯域保証パラメータ等を変更する場合、ＰＣＲＦ、Ｓ−ＧＷ９５及びＰ−ＧＷ９６へ変更指示メッセージを出力する。また、ＭＴＣ−ＩＷＦ９３は、ＮＷパラメータを管理する装置の変更もしくは新設等に応じて、変更指示メッセージの出力先を適宜変更することができる。
【０１０９】
以上説明したように、本発明の実施の形態５にかかる移動通信システムを用いることにより、３ＧＰＰにおいて規定されているネットワークを用いた場合においても、サービスＰＦ７０から通知されたモバイルルータ１２に関するネットワークアシスト情報に基づいて、ＨＳＳ９５もしくはＭＭＥ９２において管理されているＮＷパラメータを適切な値に変更することができる。
【０１１０】
また、図１２のネットワークは、ＬＴＥにおいて用いられるＥＰＣ（Evolved Packet Core）の構成例を用いて説明したが、ＵＭＴＳの場合も、ＬＴＥの例と同様の思想でネットワークを構成すればよい。例えば、ＵＭＴＳの場合、図１２のＭＭＥ９２の動作は、ＳＧＳＮ（Serving GPRS Support Node）のコントロールプレーンが行えばよい。ＨＳＳ９７の動作は、ＨＬＲ（Home Location Register）が行えばよい。Ｓ−ＧＷ９５の動作は、ＳＧＳＮのユーザープレーン機能が行えばよい。Ｐ−ＧＷ９６の動作は、ＧＧＳＮ（Gateway GPRS Support Node）が行えばよい。さらに、無線アクセスＮＷ装置９１の動作は、ＲＮＣ（Radio Network Controller）が行えばよい。
【０１１１】
上述の実施の形態では、本発明をハードウェアの構成として説明したが、本発明は、これに限定されるものではない。本発明は、モバイルルータ１２、ＮＷノード制御装置３２もしくはサービスＰＦ７０における接続情報抽出処理もしくはネットワークアシスト情報生成処理を、ＣＰＵ（Central Processing Unit）にコンピュータプログラムを実行させることにより実現することも可能である。）
【０１１２】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１３】
なお、本発明は上記実施の形態に限られたものではなく、趣旨を逸脱しない範囲で適宜変更することが可能である。
【０１１４】
以上、実施の形態を参照して本願発明を説明したが、本願発明は上記によって限定されるものではない。本願発明の構成や詳細には、発明のスコープ内で当業者が理解し得る様々な変更をすることができる。
【０１１５】
この出願は、２０１３年５月２３日に出願された日本出願特願２０１３−１０９０１８を基礎とする優先権を主張し、その開示の全てをここに取り込む。
【符号の説明】
【０１１６】
１０  移動通信装置
１２  モバイルルータ
２１  接続デバイス
２２  接続デバイス
２３  接続デバイス
３０  ネットワークオペレータ装置
３２  ＮＷノード制御装置
３４  ＮＷノード
４０  移動通信ネットワーク
５２  接続情報抽出部
５４  ネットワークアシスト情報生成部
６２  ネットワークアシスト情報生成部
７０  サービスＰＦ
７２  ネットワークアシスト情報生成部
８０  ＡＰＬサーバ
【図１】
2014188655.tif 000003
【図２】
2014188655.tif 000004
【図３】
2014188655.tif 000005
【図４】
2014188655.tif 000006
【図５】
2014188655.tif 000007
【図６】
2014188655.tif 000008
【図７】
2014188655.tif 000009
【図８】
2014188655.tif 000010
【図９】
2014188655.tif 000011
【図１０】
2014188655.tif 000012
【図１１】
2014188655.tif 000013
【図１２】
2014188655.tif 000014
【手続補正書】
【提出日】平成27年10月26日(2015.10.26)
【手続補正１】
【補正対象書類名】特許請求の範囲
【補正対象項目名】請求項２３
【補正方法】変更
【補正の内容】
【請求項２３】
接続している複数の接続デバイスに関する接続情報を検出するステップと、
前記接続情報に応じて自装置に関連づけられたネットワークパラメータもしくはネットワーク処理を変更するために用いられるネットワークアシスト情報を生成するステップと、
生成したネットワークアシスト情報を移動通信事業者によって管理される移動通信ネットワークに配置されるネットワークオペレータ装置へ送信するステップと、をコンピュータに実行させるプログラム。
【手続補正２】
【補正対象書類名】特許請求の範囲
【補正対象項目名】請求項２４
【補正方法】変更
【補正の内容】
【請求項２４】
接続している複数の接続デバイスに関する接続情報を検出するステップと、
前記接続情報に応じて自装置に関連づけられたネットワークパラメータもしくはネットワーク処理を変更するために用いられるネットワークアシスト情報を生成させるために、移動通信ネットワークに配置されるネットワークオペレータ装置へ前記接続情報を送信するステップと、をコンピュータに実行させるプログラム。
【手続補正３】
【補正対象書類名】特許請求の範囲
【補正対象項目名】請求項２５
【補正方法】変更
【補正の内容】
【請求項２５】
接続している複数の接続デバイスに関する接続情報を検出するステップと、
前記接続情報に応じて自装置に関連づけられたネットワークパラメータもしくはネットワーク処理を変更するために用いられるネットワークアシスト情報を生成させるために、アプリケーションサーバと接続するサービスプラットフォームへ前記接続情報を送信するステップと、をコンピュータに実行させるプログラム。
【国際調査報告】
2014188655.tif 000015
2014188655.tif 000016
2014188655.tif 000017
2014188655.tif 000018
2014188655.tif 000019
2014188655.tif 000020
2014188655.tif 000021